【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
通信リンクによって通信可能に接続された複数のネットワークノードを有する通信ネットワークで使用する、異常検出システムであって、
複数のメッセージモジュールのそれぞれが、前記ネットワークノードのうちのひとつにあるプロセッサ上で実行して、前記ネットワークノードでメッセージトラフィックを検出して、前記ネットワークノードで前記メッセージトラフィックについてのメタデータを発生する前記複数のメッセージモジュールと、
前記通信ネットワークに接続された処理装置内に格納されて、前記処理装置で実行される解析エンジンであって、
メタデータ記憶部と、
前記処理装置のプロセッサ上で実行して、前記複数のメッセージモジュールからの前記ネットワークノードのそれぞれについてのメタデータを受信し、かつ、該受信したメタデータを前記メタデータ記憶部に格納する制御部と、
論理ルールの集合を格納するルールデータベースと、
前記処理装置のプロセッサ上で実行して、前記ルールデータベースに格納された前記論理ルールを用いて前記メタデータ記憶部に格納された前記メタデータを処理して、前記通信ネットワーク内のトラフィックパターンの異常を検出するルールエンジンと、
前記処理装置のプロセッサ上で実行して、検出された異常の通知をユーザに対して送信する通知モジュールとを含む前記解析エンジンと
を含む異常検出システム。
【請求項２】
前記解析エンジンは、前記通信ネットワークの動作中の前記通信ネットワークについて、ベースライン時間の間で収集されたメタデータに関するベースライン情報を格納するメタデータベースラインデータベースをさらに含むものであり、前記ルールエンジンは、前記処理装置のプロセッサ上で実行して、前記ルールデータベースに格納された前記論理ルールと前記メタデータベースラインデータベース内に格納された前記ベースライン情報とを用いて前記メタデータ記憶部内に格納された前記メタデータを処理して前記通信ネットワーク内のトラフィックパターンの異常を検出するものである、請求項１に記載の異常検出システム。
【請求項３】
前記通信ネットワークに接続されたさらなる処理装置に格納された構成変更検出モジュールをさらに含むものであって、前記構成変更検出モジュールは、前記さらなる処理装置のプロセッサ上で実行して前記通信ネットワークの構成に対する構成変更を検出して、前記解析エンジンに検出された構成変更の通知を送信する、請求項１又は請求項２に記載の異常検出システム。
【請求項４】
前記解析エンジンの前記制御部は、前記検出された構成変更に基づいて前記ルールデータベース内の論理ルールを変更する、請求項３に記載の異常検出システム。
【請求項５】
前記解析エンジンの前記制御部は、前記検出された構成変更に応じてメタデータデータベース内の前記通信ネットワークについて新しいベースラインメタデータの集合を収集して、新しい構成で実行する通信ネットワークについて、前記新しいベースラインメタデータの集合から新しいベースライン情報の集合を発生する、請求項４に記載の異常検出システム。
【請求項６】
前記制御部は、前記ルールデータベース内の論理ルールの変更の前に、ユーザから新しい論理ルールを受信する、請求項４又は請求項５に記載の異常検出システム。
【請求項７】
前記構成変更検出モジュールは、構成変更の種類を前記解析エンジンへ伝達する、請求項３〜請求項６の何れか１項に記載の異常検出システム。
【請求項８】
メタデータベースラインデータベースは、１つまたは複数の前記論理ルールによって用いられて、前記メタデータ記憶部内に格納された前記メタデータを用いて異常を検出する、制限または範囲を反映する１つまたは複数のメタデータパラメータを格納する、請求項２〜請求項７の何れか１項に記載の異常検出システム。
【請求項９】
前記通知モジュールはプロセッサ上で実行して、前記通信ネットワークの１つまたは複数のネットワークノード内で通信パラメータを設定する、請求項１〜請求項８の何れか１項に記載の異常検出システム。
【請求項１０】
前記メッセージモジュールのうちのひとつが、１つまたは複数のフィールド機器に接続されてプロセスまたは産業用プラントを制御するプロセスコントローラ装置内に配置される、請求項１〜請求項９の何れか１項に記載の異常検出システム。
【請求項１１】
プラント環境で使用する、異常検出システムであって、
プロセッサおよびコンピュータ読み取り可能なメモリをそれぞれ有する複数のネットワークノードであって、通信リンクによって相互に接続される前記複数のネットワークノードを含む通信ネットワークと、
メッセージモジュールのそれぞれが、前記ネットワークノードのうちの異なるひとつにある前記プロセッサで実行して、前記ネットワークノードでメッセージトラフィックを検出して、前記ネットワークノードで前記メッセージトラフィックについてメタデータを発生する、複数のメッセージモジュールと、
前記複数のメッセージモジュールのそれぞれに通信可能に接続されて、前記通信ネットワークに接続された処理装置で実行する解析エンジンであって、
メタデータ記憶部と、
前記処理装置のプロセッサで実行して、前記複数のメッセージモジュールからの前記ネットワークノードのそれぞれについての前記メタデータを受信し、該受信したメタデータを前記メタデータ記憶部に格納する制御部と、
論理ルールの集合を格納するルールデータベースと、
前記処理装置のプロセッサで実行して、前記ルールデータベースに格納された前記論理ルールを用いて前記メタデータ記憶部に格納された前記メタデータを処理して、前記通信ネットワーク内のトラフィックパターンの異常を検出するルールエンジンと、
前記処理装置のプロセッサで実行して、検出された異常の通知を送信する通知モジュールとを含む前記解析エンジンと
を含む異常検出システム。
【請求項１２】
前記解析エンジンは、さらに、前記通信ネットワークの動作中の前記通信ネットワークについて、ベースライン時間の間で収集されたメタデータに関するベースライン情報を格納するメタデータベースラインデータベースを含むものであり、前記ルールエンジンは、前記処理装置のプロセッサ上で実行して、前記ルールデータベースに格納された前記論理ルールと前記メタデータベースラインデータベース内に格納された前記ベースライン情報とを用いて前記メタデータ記憶部内に格納された前記メタデータを処理して前記通信ネットワーク内のトラフィックパターンの異常を検出するものである、請求項１１に記載の異常検出システム。
【請求項１３】
前記通信ネットワークに接続されたさらなる処理装置に格納された構成変更検出モジュールをさらに含むものであって、前記構成変更検出モジュールは、前記さらなる処理装置のプロセッサで実行して、前記通信ネットワークの構成に対する構成変更を検出して、かつ、前記解析エンジンに検出された構成変更の通知を送信する、請求項１１又は請求項１２に記載の異常検出システム。
【請求項１４】
前記構成変更検出モジュールは、構成変更の種類を前記解析エンジンへ伝達する、請求項１３に記載の異常検出システム。
【請求項１５】
前記解析エンジンの前記制御部は、検出された構成変更に応じてメタデータデータベース内の前記通信ネットワークについて、ベースラインメタデータの集合を収集して、新しい構成の前記通信ネットワークについて、前記ベースラインメタデータの集合からベースライン情報の集合を発生するものであり、前記ルールエンジンは、前記論理ルールの実行に前記ベースライン情報の集合を用いて異常を検出するものである、請求項１３又は請求項１４に記載の異常検出システム。
【請求項１６】
通信リンクによって相互に接続された複数のネットワークノードを有するプラントの通信ネットワークで異常検出を行う方法であって、
２つまたはそれ以上の前記複数のネットワークノードのそれぞれにあるプロセッサを用いて、前記２つまたはそれ以上の前記複数のネットワークノードのメッセージトラフィックを解析して、前記２つまたはそれ以上の前記複数のネットワークノードのそれぞれにおいて前記メッセージトラフィックについてのメタデータを作成することと、
前記２つまたはそれ以上の前記複数のネットワークノードのそれぞれからの作成されたメタデータを前記通信ネットワークに接続されたコンピュータ処理装置内に配置された解析エンジンへ電子的に送信することと、
前記コンピュータ処理装置にあるコンピュータ読み取り可能なメモリ上で、前記２つまたはそれ以上の前記複数のネットワークノードのそれぞれからの前記メタデータを格納することと、
ベースラインメタデータパラメータの集合を、前記コンピュータ処理装置にあるコンピュータ読み取り可能なメモリに格納することと、
前記コンピュータ処理装置のプロセッサを用いて、前記解析エンジンにおいて、論理ルールの集合および格納されたベースラインメタデータパラメータを用いて格納されたメタデータを解析して、前記通信ネットワークの前記ネットワークノードのうちの１つまたは複数にあるトラフィックパターン内に異常があるかどうかを判定することと、
前記通信ネットワークの前記ネットワークノードのうちの１つまたは複数にある前記トラフィックパターン内に異常が検出された場合に、前記トラフィックパターン内の前記異常を修正する動きを行うことと
を含む、異常検出を行う方法。
【請求項１７】
前記通信ネットワークの構成に対する構成変更を検出すること、および検出された構成変更の通知を前記解析エンジンへ送信することをさらに含む、請求項１６に記載の方法。
【請求項１８】
検出された構成変更に基づいて、格納されたメタデータの解析に用いられる前記論理ルールのうちのひとつを変更することをさらに含む、請求項１７に記載の方法。
【請求項１９】
前記検出された構成変更の種類を前記解析エンジンに伝達すること、および構成変更の種類に基づいて前記格納されたメタデータの解析に用いられる前記論理ルールのうちのひとつを変更することをさらに含む、請求項１７又は請求項１８に記載の方法。
【請求項２０】
構成変更の検出に応じて、前記構成変更の後の前記通信ネットワークの動作に基づいて新しいメタデータの集合を収集すること、および前記通信ネットワークの１つまたは複数の前記ネットワークノードからのメタデータを解析することにおいて、前記解析エンジンによる使用のために、前記新しいメタデータの集合からの新しいベースラインメタデータパラメータの集合を発生することをさらに含む、請求項１７〜請求項１９の何れか１項に記載の方法。
【請求項２１】
作成されたメタデータを送信することは、前記作成されたメタデータを前記２つまたはそれ以上の前記複数のネットワークノードから、前記通信リンクを通じて前記解析エンジンへ送信することを含む、請求項１６〜請求項２０の何れか１項に記載の方法。